(57)【要約】【課題】  備え付け用紙の盗難を抑止ないし防止することができる。【解決手段】  画像形成装置１０は装置本体（１０ａ）、給紙カセット２０およびカセット規制部６０を含む。給紙カセット２０は、装置本体１０ａに対して前後方向に出入可能に設けられる。給紙カセット２０は、同じ種類の用紙を保持し、前後方向に配列される第１用紙セット部７２および第２用紙セット部７４を含む。カセット規制部６０は、ロック解除操作が行われたときを除いて、所定の第１位置において給紙カセット２０の引出し方向への移動を規制する。給紙カセット２０が第１位置に位置する場合には、第１用紙セット部７２は装置本体１０ａの外部に露出し、第２用紙セット部７４は装置本体１０ａの外部に露出しない。【選択図】  図３
2020147397.tif 000002
【特許請求の範囲】
【請求項１】
装置本体と、
前記装置本体に収容され、用紙に画像を形成する画像形成部と、
前記装置本体に対して引出し方向に変位自在に設けられ、前記画像形成部に供給する用紙を収納する用紙収納部と、
前記用紙収納部において前記引出し方向に配列され、前記用紙収納部に収納される用紙を保持する複数の用紙保持部と、
前記複数の用紙保持部に保持される用紙を前記画像形成部に向けて給紙する給紙部と、
前記複数の用紙保持部のうちの一部の用紙保持部が前記装置本体の外部に露出される第１位置において、当該用紙収納部の前記引出し方向への移動を規制する規制部とを備える、画像形成装置。
【請求項２】
ユーザによる入力操作を受け付ける操作部と、
前記画像形成装置を利用しようとする人のユーザ認証を行い、予め登録された人についてのみログインを許可する認証部とをさらに備え、
前記規制部は、前記ユーザ認証でログインが成功した後に、前記操作部で所定の操作が行われた場合に、前記用紙収納部の移動の規制を解除する、請求項１記載の画像形成装置。
【請求項３】
前記第１位置では、前記複数の用紙保持部のうち、最も手前側の用紙保持部のみが前記装置本体の外部に露出される、請求項１または２記載の画像形成装置。
【請求項４】
前記画像形成装置は、店舗に設置され、
前記複数の用紙保持部は、前記店舗が用意する用紙を保持する第１種類の用紙保持部と、当該第１種類の用紙保持部の手前に配置され、ユーザが持ち込んだ用紙を保持する第２種類の用紙保持部とを含み、
前記第１位置では、少なくとも１つの前記第２種類の用紙保持部が前記装置本体の外部に露出される、請求項１から３までのいずれかに記載の画像形成装置。
【請求項５】
装置本体と、前記装置本体に収容され、用紙に画像を形成する画像形成部と、前記装置本体に対して引出し方向に変位自在に設けられ、前記画像形成部に供給する用紙を収納する用紙収納部と、前記用紙収納部に収納されている用紙を前記画像形成部に向けて給紙する給紙部と、前記引出し方向に配列され、前記用紙収納部に収納される用紙を保持する複数の用紙保持部と、前記複数の用紙保持部のうちの一部の用紙保持部が前記装置本体の外部に露出される第１位置において、当該用紙収納部の前記引出し方向への移動を規制する規制部と、ユーザによる入力操作を受け付ける操作部とを備える画像形成装置の制御プログラムであって、
前記画像形成装置のプロセッサに、
ユーザ認証を行い、ログインを許可する認証ステップと、
前記ユーザ認証でログインが成功した後に、前記操作部で所定の操作が行われた場合に、前記用紙収納部の移動の規制を解除する解除ステップとを実行させる、制御プログラム。
【請求項６】
装置本体と、前記装置本体に収容され、用紙に画像を形成する画像形成部と、前記装置本体に対して引出し方向に変位自在に設けられ、前記画像形成部に供給する用紙を収納する用紙収納部と、前記用紙収納部に収納されている用紙を前記画像形成部に向けて給紙する給紙部と、前記引出し方向に配列され、前記用紙収納部に収納される用紙を保持する複数の用紙保持部と、前記複数の用紙保持部のうちの一部の用紙保持部が前記装置本体の外部に露出される第１位置において、当該用紙収納部の前記引出し方向への移動を規制する規制部と、ユーザによる入力操作を受け付ける操作部とを備える画像形成装置の制御方法であって、
（ａ）ユーザ認証を行い、ログインを許可するステップと、
（ｂ）前記ユーザ認証でログインが成功した後に、前記操作部で所定の操作が行われた場合に、前記用紙収納部の移動の規制を解除するステップとを含む、制御方法。
【発明の詳細な説明】
【技術分野】
【０００１】
この発明は画像形成装置、制御プログラムおよび制御方法に関し、特にたとえば、複数の用紙セット部を含む給紙カセットを備える、画像形成装置、制御プログラムおよび制御方法に関する。
【背景技術】
【０００２】
背景技術の画像形成装置の一例が特許文献１に開示される。この特許文献１の画像形成装置は、用紙に画像を形成する画像形成部と、画像形成部に供給する用紙を収納するための給紙カセットとを有し、コンビニエンスストア等の店舗に設置され、ユーザに対してコピーサービス、プリントサービス等の各種サービスを提供する。給紙カセットには、前後方向に配列され、給紙カセットに収納される「ハガキ」を保持する複数の用紙セット部を含む。
【０００３】
このような画像形成装置では、たとえば、複数の用紙セット部のうち、奥側の用紙セット部に店舗等が用意した備え付け用紙を載置し、手前側の用紙セット部に使用者が持ち込んだ用紙を載置することができる。
【先行技術文献】
【特許文献】
【０００４】
【特許文献１】特開２０１６−０８４１９３号公報
【発明の概要】
【発明が解決しようとする課題】
【０００５】
しかしながら、背景技術の画像形成装置では、誰でも備え付け用紙を取り出すことができ、防犯上の観点から改善の余地がある。
【０００６】
それゆえに、この発明の主たる目的は、新規な、画像形成装置、制御プログラムおよび制御方法を提供することである。
【０００７】
この発明の他の目的は、備え付け用紙の盗難を抑止ないし防止することができる、画像形成装置、制御プログラムおよび制御方法を提供することである。
【課題を解決するための手段】
【０００８】
第１の発明は、装置本体、画像形成部、用紙収納部、複数の用紙保持部、給紙部および規制部を備える画像形成装置である。画像形成部は、装置本体に収容され、用紙に画像を形成する。用紙収納部は、装置本体に対して引出し方向に変位自在に設けられ、画像形成部に供給する用紙を収納する。複数の用紙保持部は、用紙収納部において引出し方向に配列され、用紙収納部に収納される用紙を保持する。給紙部は、複数の用紙保持部に保持される用紙を画像形成部に向けて給紙する。規制部は、複数の用紙保持部のうちの一部の用紙保持部が装置本体の外部に露出される第１位置において、当該用紙収納部の引出し方向への移動を規制する。
【０００９】
第２の発明は、第１の発明に従属する画像形成装置であって、ユーザによる入力操作を受け付ける操作部と、画像形成装置を利用しようとする人のユーザ認証を行い、予め登録された人についてのみログインを許可する認証部とをさらに備え、規制部は、ユーザ認証でログインが成功した後に、操作部で所定の操作が行われた場合に、用紙収納部の移動の規制を解除する。
【００１０】
第３の発明は、第１または第２の発明に従属する画像形成装置であって、第１位置では、複数の用紙保持部のうち、最も手前側の用紙保持部のみが装置本体の外部に露出される。
【００１１】
第４の発明は、第１ないし第３のいずれかに従属する画像形成装置であって、画像形成装置は、店舗に設置され、複数の用紙保持部は、店舗が用意する用紙を保持する第１種類の用紙保持部と、当該第１種類の用紙保持部の手前に配置され、ユーザが持ち込んだ用紙を保持する第２種類の用紙保持部とを含み、第１位置では、少なくとも１つの第２種類の用紙保持部が装置本体の外部に露出される。
【００１２】
第５の発明は、装置本体と、装置本体に収容され、用紙に画像を形成する画像形成部と、装置本体に対して引出し方向に変位自在に設けられ、画像形成部に供給する用紙を収納する用紙収納部と、用紙収納部に収納されている用紙を画像形成部に向けて給紙する給紙部と、引出し方向に配列され、用紙収納部に収納される用紙を保持する複数の用紙保持部と、複数の用紙保持部のうちの一部の用紙保持部が装置本体の外部に露出される第１位置において、当該用紙収納部の引出し方向への移動を規制する規制部と、ユーザによる入力操作を受け付ける操作部とを備える画像形成装置の制御プログラムであって、画像形成装置のプロセッサに、ユーザ認証を行い、ログインを許可する認証ステップと、ユーザ認証でログインが成功した後に、操作部で所定の操作が行われた場合に、用紙収納部の移動の規制を解除する解除ステップとを実行させる。
【００１３】
第６の発明は、装置本体と、装置本体に収容され、用紙に画像を形成する画像形成部と、装置本体に対して引出し方向に変位自在に設けられ、画像形成部に供給する用紙を収納する用紙収納部と、用紙収納部に収納されている用紙を画像形成部に向けて給紙する給紙部と、引出し方向に配列され、用紙収納部に収納される用紙を保持する複数の用紙保持部と、複数の用紙保持部のうちの一部の用紙保持部が装置本体の外部に露出される第１位置において、当該用紙収納部の引出し方向への移動を規制する規制部と、ユーザによる入力操作を受け付ける操作部とを備える画像形成装置の制御方法であって、（ａ）ユーザ認証を行い、ログインを許可するステップと、（ｂ）ユーザ認証でログインが成功した後に、操作部で所定の操作が行われた場合に、用紙収納部の移動の規制を解除するステップとを含む制御方法である。
【発明の効果】
【００１４】
この発明によれば、備え付け用紙の盗難を抑止ないし防止することができる。
【００１５】
この発明の上述の目的，その他の目的，特徴および利点は、図面を参照して行う以下の実施例の詳細な説明から一層明らかとなろう。
【図面の簡単な説明】
【００１６】
【図１】図１はこの発明の一実施例である画像形成装置の外観構成の一例を斜め上方から見た斜視図である。
【図２】図２（Ａ）は給紙カセットが装置本体に収納された状態を示す図解図である。図２（Ｂ）は給紙カセットの移動が規制される状態において、給紙カセットが第１位置に位置する状態を示す図解図である。
【図３】図３は画像形成装置が備える規制部を示す斜視図である。
【図４】図４（Ａ）は給紙カセットが装置本体に収納された状態を示す図解図である。図４（Ｂ）は給紙カセットの移動が規制される状態において、給紙カセットが引き出された状態を示す図解図である。図４（Ｃ）は給紙カセットの移動が規制されない状態において、給紙カセットが引き出された状態を示す図解図である。
【図５】図５は図１に示す画像形成装置の電気的な構成の一例を示すブロック図である。
【図６】図６は画像形成装置のホーム画面の一例を示す図解図である。
【図７】図７は画像形成装置の用紙設定画面の一例を示す図解図である。
【図８】図８は画像形成装置の業務用画面の一例を示す図解図である。
【図９】図９は選択ウインドウを含む業務用画面の一例を示す図解図である。
【図１０】図１０は図５に示すＣＰＵに接続されるＲＡＭのメモリマップの一例を示す図である。
【図１１】図１１は図５に示すＣＰＵのカセット規制制御のフロー図である。
【図１２】図１２（Ａ）は第２実施例における給紙カセットの移動を規制する状態の規制部を示す左側面図である。図１２（Ｂ）は第２実施例における給紙カセットの移動を規制しない状態の規制部を示す左側面図である。
【図１３】図１３（Ａ）は載置トレイが第１位置に位置する状態を示す図解図である。図１２（Ｂ）は載置トレイが第２位置に位置する状態を示す図解図である。
【図１４】図１４はスライド駆動機構の構成を示す図である。
【図１５】図１５は第３実施例におけるＣＰＵのトレイ移動制御のフロー図である。
【発明を実施するための形態】
【００１７】
［第１実施例］
図１は実施例の画像形成装置１０の外観構成の一例を斜め上方から見た斜視図である。図１を参照して、この発明の一実施例である画像形成装置１０は、画像形成部１２と画像読取部１４との間に胴内排紙部１６が形成される胴内排紙型の画像形成装置であって、画像読取部１４の前面側に設けられる操作ユニット１８を備える。後述するように、画像形成装置１０は、画像読取部１４で読み取った画像データ等に基づいて、所定の用紙（記録媒体）に対して多色または単色の画像を形成し、画像形成された用紙を胴内排紙部１６に排出する。この実施例では、画像形成装置１０は、複写機能、プリンタ機能、スキャナ機能およびファクシミリ機能などを有する複合機（ＭＦＰ：Multifunction Peripheral）である。また、本実施例の画像形成装置１０は、スーパーマーケット、レストランまたはコンビニエンスストアなどの店舗、並びに駅、バスターミナル、空港、役所または図書館などの公共施設に配置される。この画像形成装置１０は、配置される場所に応じて各種情報または所定のサービス（機能）を利用者（ユーザ）に提供する。
【００１８】
なお、この実施例では、ユーザの立ち位置に対向する面、つまり操作ユニット１８が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００１９】
先ず、画像形成装置１０の基本構成について説明する。図１に示すように、画像形成装置１０は、画像形成部１２と、画像形成部１２の上方に設けられる画像読取部１４とを備える。
【００２０】
装置本体１０ａは、画像形成部１２の右側上部と奥側上部に形成される連結筐体を含み、この連結筐体によって画像読取部１４が支持される。これにより、画像読取部１４の下面側には、画像形成済みの用紙が収容される胴内空間である胴内排紙部１６が形成される。この胴内排紙部１６には、排紙口（図示せず）から排出される画像形成済みの用紙を受ける排紙トレイが設けられる。
【００２１】
画像形成部１２は、露光ユニット、現像器、感光体ドラム、帯電器、中間転写ベルト、転写ローラおよび定着ユニット等を備える。これらのコンポーネントは、画像形成装置１０の装置本体１０ａの内部に収容される。画像形成部１２は、その下方に配置される給紙カセット（用紙収納部に相当）２０等から搬送される用紙に対して電子写真方式によって画像を形成する。すなわち、画像形成部１２は、帯電器および露光ユニット等によって画像データに応じた静電潜像を感光体ドラム上に形成し、現像器によって、感光体ドラム上の静電潜像をトナーにより顕像化する。また、感光体ドラム上に形成されたトナー像を中間転写ベルトおよび転写ローラ等によって用紙に転写し、用紙に転写されたトナー像を定着ユニットによって熱定着させる。その後、画像形成済みの用紙を排紙口から胴内排紙部１６に排出する。なお、用紙上に画像を形成するための画像データ（印刷画像データ）は、画像読取部１４で読み取った画像データまたは外部コンピュータから送信された画像データ等である。
【００２２】
画像読取部１４は、装置本体１０ａの上面に設けられ、透明材によって形成される原稿載置台を備える。原稿載置台の下方（装置本体１０ａの内部）には、光源、複数のミラー、結像レンズおよびラインセンサ等が設けられる。画像読取部１４は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく画像データが生成される。ラインセンサとしては、ＣＣＤ（Charge Coupled Device）やＣＩＳ（Contact Image Sensor）等が用いられる。
【００２３】
また、画像読取部１４の上面には、奥側に配置されるヒンジ等を介して、原稿押えカバー３０が開閉自在に取り付けられる。この原稿押えカバー３０には、原稿載置トレイ３２に載置された原稿を画像読取部１４の画像読取位置に対して１枚ずつ自動的に給紙するＡＤＦ（自動原稿送り装置）３４が設けられる。
【００２４】
さらに、操作ユニット１８は、画像読取部１４の前面側に設けられる。操作ユニット１８は、操作装置または操作パネルなどとも呼ばれ、ユーザによる入力操作を受け付ける。この操作ユニット１８の上面には、タッチパネル３６付きのディスプレイ３８および操作ボタン１８ａが設けられる。
【００２５】
タッチパネル３６付きのディスプレイ３８には、各種設定または印刷指示などをユーザから受け付けるためのソフトウェアキーおよびメッセージ等が表示される。ディスプレイ３８には、画像形成装置１０がユーザに提供可能なサービスに対応する各種のジョブから所望のジョブを選択するための画面であるホーム画面１００（図６参照）等の種々の操作画面が表示される。ただし、この第１実施例では、ジョブは、コピー（原稿のスキャンを含む）、印刷（プリント）およびファクスの送信などを意味する。
【００２６】
操作ボタン１８ａは、ハードウェアキーであって、たとえば、ホームキー、省電力キーおよび主電源キーなどが含まれる。ホームキーは、ホーム画面１００をディスプレイ３８に表示させるためのキーである。省電力キーは、消費電力が制限される省電力状態（省電力モード）と、消費電力が制限されない通常状態（通常モード）とを切り替えるためのキーである。ただし、操作ボタン１８ａは、操作ユニット１８の上面以外の場所、たとえば装置本体１０ａの上面に設けられても良い。また、操作ボタン１８ａは、ソフトウェアキーであっても良い。この場合、操作ボタン１８ａは、タッチパネル３６付きのディスプレイ３８に表示される。
【００２７】
なお、ソフトウェアキーとは、たとえばタッチパネル３６付きのディスプレイ３８の表示面上にソフトウェア的に再現されたキー（アイコン）のことを言う。これに対して、ハードウェアキーとは、物理的な装置として設けられたキー（ボタン）のことを言う。また、画像形成装置１０への操作入力とは、ソフトウェアキーにおける操作入力（たとえばタッチパネル３６へのタッチ入力）およびハードウェアキーにおける操作入力（操作ボタンのボタン操作）などの各部への操作入力を意味する。
【００２８】
さらに、画像形成部１２の下方には、画像形成部１２に対して供給する用紙を収納する給紙カセット２０が設けられる。給紙カセット２０は、複数枚の用紙を収納可能であり、装置本体１０ａに対して前後方向に引出しおよび挿入可能（出入可能）に設けられる。
【００２９】
以下、図２〜図４を参照して、給紙カセット２０の具体的な構成を説明する。図２（Ａ）は給紙カセット２０が装置本体１０ａに収納された状態を示す図解図である。図２（Ｂ）は給紙カセット２０の移動が規制される状態において、給紙カセット２０が第１位置に位置する状態を示す図解図である。図３は画像形成装置１０が備えるカセット規制部６０を示す斜視図である。図４（Ａ）は給紙カセット２０が装置本体１０ａに収納された状態を示す図解図である。図４（Ｂ）は給紙カセット２０の移動が規制される状態で給紙カセット２０が引き出された場合を示す図解図である。図４（Ｃ）は給紙カセット２０の移動が規制されない状態で給紙カセット２０が引き出された場合を示す図解図である。
【００３０】
図２（Ａ）および図２（Ｂ）に示すように、給紙カセット２０には、用紙を保持するための載置トレイ（用紙積載トレイ）７０が設けられる。この載置トレイ７０の底板（回転板）の上には、用紙が載置される。ただし、載置トレイ７０は、同じ種類の用紙を保持する複数の用紙セット部（用紙保持部に相当）を含む。複数の用紙セット部は、給紙カセット２０の引出し方向または挿入方向、すなわち前後方向に配列される。本実施例では、載置トレイ７０は、２つの用紙セット部（第１用紙セット部７２および第２用紙セット部７４）を含む。第１用紙セット部７２は、給紙カセット２０の前端部（手前側）に配置され、第２用紙セット部７４は、第１用紙セット部７２の背面側（奥側）に配置される。また、第１用紙セット部７２および第２用紙セット部７４は、前後方向において隣接するように互いに隙間なく配置される。
【００３１】
また、第１用紙セット部７２および第２用紙セット部７４には、比較的小さいサイズの用紙が保持される。たとえば、Ａ５版〜Ａ１２版、はがきサイズ、名刺サイズの用紙等が第１用紙セット部７２および第２用紙セット部７４に保持される。ただし、給紙カセット２０（載置トレイ７０）は、第１用紙セット部７２および第２用紙セット部７４に保持される用紙を前後方向に並べることができる程度の大きさに設定される。
【００３２】
また、本実施例では、背面側に配置される第２用紙セット部７４には、店舗が用意した用紙（備え付け用紙）ＳＰが載置され、手前側に配置される第１用紙セット部７２には、使用者が持ち込む用紙（持ち込み用紙）ＵＰが載置されるようにしてある。このため、第２用紙セット部７４には、備え付け用紙ＳＰが予め載置されているが、手前側に配置される第１用紙セット部７２には、備え付け用紙ＳＰは載置されない。なお、持ち込み用紙ＵＰは、画像形成装置１０の使用終了後に、当該持ち込み用紙ＵＰを持ち込んだユーザによって回収される。したがって、通常、画像形成装置１０が使用されないときは、第１用紙セット部７２には、用紙が無い状態となる。
【００３３】
さらに、給紙カセット２０には、給紙カセット２０（第１用紙セット部７２または第２用紙セット部７４）に収納される用紙を画像形成部１２に向けて給紙（搬送）する給紙部２２が設けられる。図示は省略するが、給紙部２２は、ピックアップローラ、給紙ローラおよび搬送ローラ等を含む。ピックアップローラは、給紙カセット２０の用紙搬送方向における下流側端部（右端部）の上方に設けられ、給紙カセット２０の載置トレイ７０に積載された用紙のうち、最上位の用紙を取り出すための部材である。給紙ローラは、ピックアップローラの用紙搬送方向における下流側に設けられ、ピックアップローラによって取り出された用紙に推進力を与えると共に、用紙の重送を防止するための部材である。搬送ローラは、給紙ローラの用紙搬送方向における下流側に設けられ、給紙ローラによって搬送される用紙にさらに推進力を与え、画像形成部１２の搬送ローラに送るための部材である。
【００３４】
ただし、図示は省略するが、ピックアップローラ、給紙ローラおよび搬送ローラのそれぞれは、給紙カセット２０の内部に設けられる駆動（給紙）モータの駆動力（回転駆動力）によって駆動される。また、用紙は、ユーザによって選択される出力用紙の種類に応じて、第１用紙セット部７２または第２用紙セット部７４のいずれかから画像形成部１２に向けて搬送される。
【００３５】
本実施例の画像形成装置１０は、給紙カセット２０が前方向に引き出される際に、所定の位置において給紙カセット２０の引出し方向（前方向）への移動を規制するカセット規制部（カセット規制機構）６０を備える。
【００３６】
図３、図４（Ａ）および図４（Ｂ）に示すように、カセット規制部６０は、規制部材（ロック部材）６２と、第１駆動源６４と、リンク部材６６とを含む。ただし、ロック部材６２、第１駆動源６４およびリンク部材６６は、装置本体１０ａに取り付けられる。
【００３７】
ロック部材６２は、棒状の部材であり、具体的には、下方に向かうにつれて直径（半径）が小さくなる略円錐台状に形成される。ロック部材６２は、上端部がリンク部材６６の一方端部（前端部）に連結されており、リンク部材６６の一方端部の動きに連動して移動される。
【００３８】
また、給紙カセット２０には、ロック部材６２と係合する係合溝２４が設けられる。本実施例では、係合溝２４は、給紙カセット２０の左壁部２０ａの上面に設けられ、ロック部材６２は、給紙カセット２０の左壁部２０ａに対応する位置、すなわち左側端部に配置される。
【００３９】
また、係合溝２４は、前後方向に延びるように形成され、少なくともロック部材６２の直径よりも大きい幅（左右方向の大きさ）を有する。
【００４０】
第１駆動源６４は、ロック部材６２を移動させるための駆動力をリンク部材６６に与えるためのものであり、装置本体１０ａの背面側の端部に設けられる。第１駆動源６４は、たとえばソレノイドであり、通電されることによってリンク部材６６の他方端部（後端部）に連結されるプランジャを上下に往復移動させる。したがって、プランジャが往復移動されることに伴って、リンク部材６６が作動される。
【００４１】
リンク部材６６は、一方端部（ロック部材６２側の端部）と他方端部（第１駆動源６４側の端部）の間に設けられる軸支部材によって軸支され、左右方向に延びる水平な軸線（床面に対して平行な軸線）回りに回動可能とされる。第１駆動源６４のプランジャが上方に移動されると、これに従ってリンク部材６６の他方端部が上方に移動され、軸支部材の反対側であるリンク部材６６の一方端部が下方に移動する。すなわち、ロック部材６２が下方に移動される。一方、プランジャが下方に移動されると、これに従ってリンク部材６６の他方端部が下方に移動され、リンク部材６６の一方端部が上方に移動される。すなわち、ロック部材６２が上方に移動される。
【００４２】
具体的には、ロック部材６２は、第１駆動源６４およびリンク部材６６の動作に応じて、係合溝２４と係合する係合位置と、係合溝２４と係合しない解放位置との間で上下方向に移動される。係合位置とは、係合溝２４にロック部材６２の少なくとも一部が入る状態、すなわちロック部材６２の下端が左壁部２０ａ（給紙カセット２０）の上面よりも下方に位置する状態のロック部材６２の位置（図４（Ａ）および図４（Ｂ）に示すロック部材６２の位置）を意味する。一方、解放位置とは、係合溝２４からロック部材６２が出る状態、すなわちロック部材６２の下端が左壁部２０ａの上面よりも上方に位置する状態のロック部材６２の位置（図４（Ｃ）に示すロック部材６２の位置）を意味する。
【００４３】
ロック部材６２が係合位置に位置する（ロック部材６２と係合溝２４とが係合する）場合、給紙カセット２０が装置本体１０ａから引き出され、ロック部材６２の位置および係合溝２４の後端の位置によって規定される所定の位置（第１位置）まで移動されると、ロック部材６２と係合溝２４の後端とが当接する。このため、給紙カセット２０は、第１位置よりも引出し方向（前方向）への移動が規制される。ただし、ロック部材６２の位置および係合溝２４の後端の位置は、給紙カセット２０が第１位置に位置する場合に、複数の用紙セット部のうちの一部の用紙セット部が、装置本体１０ａの外部に露出するように設定される。図２（Ｂ）に示すように、本実施例では、給紙カセット２０が第１位置に位置する場合には、第１用紙セット部７２は、装置本体１０ａの前端位置よりも前方に位置する。すなわち、第１用紙セット部７２は、装置本体１０ａの外部に露出する。
【００４４】
このため、給紙カセット２０が第１位置に位置する場合には、第１用紙セット部７２に用紙を載置（補充）したり、第１用紙セット部７２から用紙を取り出したりする（第１用紙セット部７２への用紙の出し入れを行う）ことができる。一方、給紙カセット２０が第１位置に位置する場合には、第２用紙セット部７４は装置本体１０ａの外部に露出しない。このため、給紙カセット２０が第１位置に位置する場合には、第２用紙セット部７４への用紙の出し入れを行うことができない。
【００４５】
一方、図４（Ｃ）に示すように、ロック部材６２が解放位置に位置する（ロック部材６２と係合溝２４とが係合しない）場合、ロック部材６２と係合溝２４の後端とが当接しないので、給紙カセット２０は、第１位置を超えて引出し方向に移動させることができる。このため、全ての用紙セット部（本実施例では第１用紙セット部７２および第２用紙セット部７４）を装置本体１０ａの外部に露出させることができる。したがって、ロック部材６２が解放位置に位置する場合には、第１用紙セット部７２への用紙の出し入れだけでなく、第２用紙セット部７４への用紙の出し入れも行うことができる。
【００４６】
図５は図１に示す画像形成装置１０の電気的な構成の一例を示すブロック図である。ただし、本願発明に直接的に関係の無い一部のコンポーネントについては省略してある。
【００４７】
図５に示すように、画像形成装置１０はＣＰＵ４２を含む。ＣＰＵ４２には、バス４０を介して、ＲＡＭ４４、タッチパネル制御回路４６、表示制御回路４８、操作ボタン検出回路５０、給紙部２２、開閉センサ２６、第１駆動源６４、画像形成部１２および画像読取部１４が接続される。また、タッチパネル制御回路４６にはタッチパネル３６が接続され、表示制御回路４８にはディスプレイ３８が接続され、操作ボタン検出回路５０には操作ボタン１８ａが接続される。
【００４８】
ＣＰＵ４２は、画像形成装置１０の全体的な制御を司る。ＲＡＭ４４は、ＣＰＵ４２のワーク領域およびバッファ領域として用いられる。
【００４９】
タッチパネル制御回路４６は、タッチパネル３６に必要な電圧などを付与するとともに、タッチパネル３６において、そのタッチ有効範囲内でのタッチ操作（タッチ入力）を検出すると、そのタッチ入力の位置を示すタッチ座標データをＣＰＵ４２に出力する。
【００５０】
タッチパネル３６は、汎用のタッチパネルであり、静電容量方式、電磁誘導方式、抵抗膜方式、赤外線方式など、任意の方式のものを用いることができる。この第１実施例では、タッチパネル３６としては、静電容量方式のタッチパネルが用いられ、ディスプレイ３８の表示面にタッチパネル３６が設けられる。ただし、タッチパネル３６とディスプレイ３８とが一体的に形成されたタッチパネルディスプレイが用いられてもよい。
【００５１】
表示制御回路４８は、ＧＰＵおよびＶＲＡＭなどを含んでおり、ＧＰＵは、ＣＰＵ４２の指示の下、ＲＡＭ４４に記憶された画像生成データ３０４ｂ（図１０参照）を用いてディスプレイ３８に種々の画面を表示するための表示画像データをＶＲＡＭに生成し、生成した表示画像データをディスプレイ３８に出力する。ディスプレイ３８としては、たとえばＬＣＤまたはＥＬ（Electro-Luminescence）ディスプレイなどを用いることができる。
【００５２】
操作ボタン検出回路５０は、上述した操作ボタン１８ａの操作に応じた操作信号ないし操作データをＣＰＵ４２に出力する。
【００５３】
開閉センサ２６は、給紙カセット２０の開閉状態（引出し状態）を検出するためのセンサである。たとえば、開閉センサ２６は、アクチュエータと光学センサによって構成される。ただし、この第１実施例では、開閉センサ２６の出力に基づいて、給紙カセット２０が引き出された状態（開状態）であるか、収納された状態（閉状態）であるかが検出される。なお、開閉センサ２６は、給紙カセット２０側に設けられても良いし、装置本体１０ａ側に設けられても良い。
【００５４】
なお、図５に示す画像形成装置１０の電気的な構成は単なる一例であり、これに限定される必要はない。
【００５５】
以下、図６〜図９を参照して、画像形成装置１０の動作例を説明する。図６は画像形成装置１０のホーム画面１００の一例を示す図解図である。図７は画像形成装置１０の用紙設定画面１２０の一例を示す図解図である。図８は画像形成装置１０の業務用画面１４０の一例を示す図解図である。図９は選択ウインドウ１４６を含む業務用画面１４０の一例を示す図解図である。
【００５６】
まず、画像形成装置１０の通常使用時には、ロック部材６２は、係合位置に位置する。画像形成装置１０の通常使用時とは、後述するロック解除操作が行われたときを除いたときのことである。なお、第１駆動源６４は、非通電時にはロック部材６２が係合位置に位置する（本実施例のソレノイドの場合プランジャを突出させる）ように設定される。
【００５７】
したがって、画像形成装置１０の通常使用時には、給紙カセット２０は、カセット規制部６０によって第１位置よりも引出し方向（前方向）への移動が規制される。このため、ロック解除操作が行われる場合を除いては、第１用紙セット部７２への用紙の出し入れは可能であるが、第２用紙セット部７４への用紙の出し入れはできないようにされる。
【００５８】
たとえば、一般のユーザ（画像形成装置１０のサービスを受けようとするユーザ）が画像形成装置１０の使用を開始するときには、画像形成装置１０のディスプレイ３８には、図６に示すようなホーム画面１００が表示される。ホーム画面１００は、上述したように、各種のジョブを選択するための画面である。このホーム画面１００には、コピー、ファクスおよびプリントなどの各ジョブを選択するためのソフトウェアキー（アイコン）１０２の画像が表示される。ホーム画面１００においていずれかのアイコン１０２がユーザに選択された場合に、選択されたアイコン１０２に対応する種々の操作画面（設定画面）がディスプレイ３８に表示される。画像形成装置１０では、設定画面で設定された内容に応じて、ジョブが実行される。たとえば、コピージョブまたはプリントジョブが選択された場合であって、特定のサイズの用紙（第１用紙セット部７２および第２用紙セット部７４に載置可能なサイズの用紙）が選択された場合には、コピージョブまたはプリントジョブの動作条件の１つである出力用紙を設定する（第１用紙セット部７２または第２用紙セット部７４のいずれから給紙するかを選択する）ための設定画面（用紙設定画面）１２０がディスプレイ３８に表示される。
【００５９】
図７に示すように、用紙設定画面１２０には、第１キー１２２および第２キー１２４が設けられる（表示される）。第１キー１２２には、備え付け用紙ＳＰを出力用紙として設定する機能、すなわち、第２用紙セット部７４から給紙することを選択する機能が割り当てられる。第２キー１２４には、持ち込み用紙ＵＰを出力用紙として設定する機能、すなわち、第１用紙セット部７２から給紙することを選択する機能が割り当てられる。なお、用紙設定画面１２０は、第１キー１２２または第２キー１２４をタッチする以外の操作ができないようになっており、その他の操作はできないようになっている。
【００６０】
第１キー１２２がタッチされると、備え付け用紙ＳＰが出力用紙として設定され、ジョブが実行される。一方、第２キー１２４がタッチされると、持ち込み用紙ＵＰが出力用紙として設定され、ジョブが実行される。この場合、ユーザは、印刷開始前に、給紙カセット２０を手前に引き出して、第１用紙セット部７２に、自身が持ち込んだ持ち込み用紙ＵＰを載置（投入）することができる。また、ジョブの終了後に、持ち込み用紙ＵＰが残っている場合には、給紙カセット２０を手前に引き出して、第１用紙セット部７２から持ち込み用紙ＵＰを取り出すことができる。一方、一般のユーザが画像形成装置１０を使用するときは、通常使用時であり、給紙カセット２０は、カセット規制部６０によって第１位置よりも引出し方向への移動が規制されている。したがって、一般のユーザは、第２用紙セット部７４への用紙の出し入れを行うことができない。
【００６１】
次に、ロック解除操作について説明する。ロック解除操作を行うことができるのは、特定のユーザに限られる。本実施例では、ロック解除操作を行うことができるユーザは、画像形成装置１０を利用しようとする人のユーザ認証を行い、ログインが許可されるユーザ、すなわち、予め登録された登録ユーザ（以下、単に「特定ユーザ」ということがある。）である。なお、ユーザ認証は、ユーザ認証を開始するための所定の操作（認証開始操作）が行われた場合に開始（実行）される。認証開始操作を受け付けるために、ホーム画面１００にユーザ認証を開始するためのソフトウェアキーを表示しても良いし、操作ユニット１８または装置本体１０ａにユーザ認証を開始するためのハードウェアキーを設けても良い。
【００６２】
また、ユーザ認証の方法は特定の方法に限定されない。たとえば、タッチパネル３６または操作ボタン１８ａから入力されるユーザＩＤおよびパスワードの組み合わせによってユーザ認証を行うことができる。また、画像形成装置１０が近距離無線通信を行うための近距離通信部を備える場合には、近距離通信部に特定ユーザが所持するＩＣカード、スマートフォンおよびフィーチャーフォン等の記憶媒体がかざされることによってユーザ認証が実行されるようにしても良い。
【００６３】
さらに、特定ユーザには、複数の種類のユーザが含まれる。たとえば、特定ユーザには、画像形成装置１０のメンテナンスを行うサービスマン、画像形成装置１０が配置される店舗または施設の従業員等が含まれる。なお、特定ユーザであっても、ログインせずに画像形成装置１０を使用することがある。たとえば、特定ユーザが画像形成装置１０にログインするのは、消耗品を補充（交換）する場合またはエラーを解消する場合であり、一般ユーザが使用する機能とは異なるため、所定の操作をする前にユーザ認証を実行する必要がある。このため、ユーザ認証が行われずに一般ユーザ向けの通常のサービスが開始された場合には、画像形成装置１０の操作者が特定ユーザであっても、一般ユーザとして取り扱われる。
【００６４】
そして、図８に示すように、ログインが許可されると、ディスプレイ３８には、業務用画面１４０が表示される。業務用画面１４０は、画像形成装置１０の動作設定の変更、消耗品の補充およびエラーの解消等の業務用のメニューを選択するための画面である。この業務用画面１４０には、業務用のメニューを選択するためのアイコン１４２の画像が表示される。業務用画面１４０においていずれかのアイコン１４２がユーザに選択されると、選択されたアイコン１４２に対応する種々の操作画面がディスプレイ３８に表示される。たとえば、備え付け用紙ＳＰを補充する業務用のメニューに対応するアイコン１４２ａがタッチされると、図９に示すように、選択ウインドウ１４６が表示される。
【００６５】
選択ウインドウ１４６は、業務用画面１４０の前面に重なって、ディスプレイ３８の表示領域の中央部に表示される。すなわち、選択ウインドウ１４６は、ポップアップで表示される。選択ウインドウ１４６には、ユーザに備え付け用紙ＳＰを補充するかどうかの選択を促すメッセージ、第１キー１４６ａおよび第２キー１４６ｂが表示される。第１キー１４６ａには、給紙カセット２０の移動の規制を解除する機能、すなわち、ロック部材６２を解放位置に移動させる機能が割り当てられる。一方、第２キー１４６ｂには、選択ウインドウ１４６を非表示する機能が割り当てられる。
【００６６】
第２キー１４６ｂがタッチされると、選択ウインドウ１４６が非表示にされ、図８に示すような通常の業務用画面１４０に戻る。この場合、給紙カセット２０の移動の規制は解除されない。
【００６７】
一方、第１キー１４６ａがタッチされると、第１駆動源６４が作動され、ロック部材６２が解放位置に移動される。すなわち、給紙カセット２０の移動の規制が解除される。本実施例では、第１キー１４６ａをタッチする操作が、ロック解除操作に相当する。上述したように、給紙カセット２０の移動の規制が解除されると、第１位置を超えて給紙カセット２０を引出し方向に移動させることができるので、第２用紙セット部７４に用紙を補充することができる。
【００６８】
そして、給紙カセット２０の移動の規制が解除された後、所定の条件が満たされた場合に、自動的に、給紙カセット２０の移動が規制される状態に戻る。たとえば、給紙カセット２０の移動の規制が解除され、給紙カセット２０が引き出された後に、最初に給紙カセット２０が装置本体１０ａに収納されたとき（給紙カセット２０が閉状態にされたとき）に、第１駆動源６４が作動され、ロック部材６２が規制位置に移動される。すなわち、給紙カセット２０の移動が規制される状態に戻る。ただし、所定の入力操作を受け付けた場合に給紙カセット２０の移動が規制される状態に戻るようにしても良い。たとえば、給紙カセット２０が引き出され、給紙カセット２０が閉状態にされた場合に、給紙カセット２０の移動が規制される状態に戻す機能に対応するソフトウェアキー（規制実行キー）をタッチパネル３６付きのディスプレイ３８に表示して、規制実行キーがタッチされた場合に、給紙カセット２０の移動が規制される状態に戻るようにしても良い。
【００６９】
なお、ログインが許可された場合であっても、ロック解除操作が行われるまでは、給紙カセット２０の移動が規制された状態が維持される。仮に、ログインが許可された場合であっても、ロック解除操作が行われずにログアウトされた場合には、給紙カセット２０の移動の規制が解除されない。
【００７０】
画像形成装置１０の上記のような動作は、画像形成装置１０のＣＰＵ４２がＲＡＭ４４に記憶された情報処理プログラムを実行することによって実現される。具体的な処理については、後でフロー図を用いて説明する。
【００７１】
図１０は図５に示したＲＡＭ４４のメモリマップ３００の一例を示す図である。ＲＡＭ４４は、プログラム記憶領域３０２およびデータ記憶領域３０４を含む。プログラム記憶領域３０２は、ＣＰＵ４２によって実行される情報処理プログラムを記憶し、情報処理プログラムは、操作検出プログラム３０２ａ、表示プログラム３０２ｂ、認証プログラム３０２ｃ、開閉検出プログラム３０２ｄ、規制部駆動プログラム３０２ｅ、画像形成プログラム３０２ｆおよび画像読取プログラム３０２ｇなどを含む。
【００７２】
操作検出プログラム３０２ａは、画像形成装置１０への入力操作を検出するためのプログラムである。たとえば、操作検出プログラム３０２ａは、タッチパネル３６から出力されたタッチ座標データを取得して、ディスプレイ３８に表示される各種の画面に含まれるソフトウェアキーが操作されたことを検出するためのプログラムである。また、操作検出プログラム３０２ａは、操作ボタン１８ａからの操作入力を検出するためのプログラムでもある。
【００７３】
表示プログラム３０２ｂは、後述する画像生成データ３０４ｂを用いて、表示画像データ、すなわち、上記のホーム画面１００、用紙設定画面１２０および業務用画面１４０などの画面データを生成し、ディスプレイ３８に出力するためのプログラムである。
【００７４】
認証プログラム３０２ｃは、画像形成装置１０への入力操作等に応じて、ユーザ認証を行うためのプログラムである。
【００７５】
開閉検出プログラム３０２ｄは、開閉センサ２６の出力に応じて、給紙カセット２０の開閉状態、すなわち給紙カセット２０が引き出された状態（開状態）であるか、収納された状態（閉状態）であるかを検出するためのプログラムである。
【００７６】
規制部駆動プログラム３０２ｅは、ロック解除操作が行われたことが検出された場合に、第１駆動源６４を作動させて、ロック部材６２を解放位置に移動させるためのプログラムである。また、規制部駆動プログラム３０２ｅは、給紙カセット２０の移動の規制が解除された後、所定の条件が満たされた場合に、第１駆動源６４を作動させて、ロック部材６２を規制位置に移動させるためのプログラムでもある。
【００７７】
画像形成プログラム３０２ｆは、画像形成部１２を制御して、多色または単色の画像を用紙に印刷するためのプログラムである。
【００７８】
画像読取プログラム３０２ｇは、画像読取部１４を制御して、原稿の画像を読み取り、読み取った画像に対応する画像信号（読取画像データ）を出力するためのプログラムである。
【００７９】
なお、図示は省略するが、プログラム記憶領域３０２には、画像形成装置１０の全体的な処理（メイン処理）および画像形成装置１０で各種の機能を実行するためのプログラムなども記憶される。
【００８０】
ＲＡＭ４４のデータ記憶領域３０４には、操作入力データ３０４ａおよび画像生成データ３０４ｂなどが記憶される。
【００８１】
操作入力データ３０４ａは、操作検出プログラム３０２ａに従って検出（取得）されたタッチ座標データまたは／および操作データである。検出されたタッチ座標データまたは／および操作データは、時系列に従ってデータ記憶領域３０４に記憶される。
【００８２】
画像生成データ３０４ｂは、ディスプレイ３８に表示される各種の画面についての表示画像データを生成するためのポリゴンデータおよびテクスチャデータなどを含む画像データである。
【００８３】
なお、図示は省略するが、データ記憶領域３０４には、画像形成装置１０のメイン処理の実行に必要な他のデータが記憶されたり、全体制御処理の実行に必要なタイマ（カウンタ）およびレジスタが設けられたりする。
【００８４】
図１１は図５に示したＣＰＵ４２のカセット規制制御のフロー図の一例である。カセット規制制御は、画像形成装置１０で行われる他の処理（たとえば画像形成装置１０のメイン処理または用紙上に画像を形成するための画像形成処理等）と並行して実行される。図１１に示すように、ＣＰＵ４２は、カセット規制制御を開始すると、ステップＳ１で、ユーザ認証を行うかどうかを判断する。ここでは、認証開始操作を受け付けたかどうかを判断する。ステップＳ１で“ＮＯ”であれば、つまり、ユーザ認証を行わないと判断した場合には、ステップＳ１に戻る。一方、ステップＳ１で“ＹＥＳ”であれば、つまり、ユーザ認証を行うと判断した場合は、ステップＳ３で、認証成功がどうかを判断する。すなわち、ログインを許可するかどうかを判断する。ステップＳ３で“ＮＯ”であれば、つまり、認証に失敗したと判断した場合は、ステップＳ１に戻る。一方、ステップＳ３で“ＹＥＳ”であれば、つまり、認証に成功したと判断した場合は、ステップＳ５で、ロック解除操作が行われたかどうかを判断する。
【００８５】
ステップＳ５で“ＮＯ”であれば、つまり、ロック解除操作が行われないと判断した場合は、ステップＳ７で、ログアウトされるかどうかを判断する。ステップＳ７で“ＹＥＳ”であれば、つまり、ログアウトされると判断した場合は、ステップＳ１に戻る。一方、ステップＳ７で“ＮＯ”であれば、つまり、ログアウトされない場合は、ステップＳ５に戻る。
【００８６】
ステップＳ５で“ＹＥＳ”であれば、つまり、ロック解除操作が行われたと判断した場合は、ステップＳ９で、第１駆動源６４を作動させて、ロック部材６２を解放位置に移動させて（給紙カセット２０の移動の規制を解除して）、ステップＳ１１で、給紙カセット２０が収納されたかどうか、すなわち、給紙カセット２０が閉状態にされたかどうかを判断する。ステップＳ１１で“ＮＯ”であれば、つまり、給紙カセット２０が閉状態にされないと判断した場合は、ステップＳ１１に戻る。一方、ステップＳ１１で“ＹＥＳ”であれば、つまり、給紙カセット２０が閉状態にされたと判断した場合は、ステップＳ１３で、第１駆動源６４を作動させて、ロック部材６２を規制位置に移動させて（給紙カセット２０の移動を規制して）、ステップＳ１に戻る。
【００８７】
この実施例によれば、一般のユーザは、給紙カセット２０の移動の規制を解除することができないので、備え付け用紙ＳＰが載置される第２用紙セット部７４にアクセスすることができない。このため、備え付け用紙ＳＰの盗難を抑止ないし防止することができる。
【００８８】
また、この実施例によれば、サービスマンおよび従業員等の特定ユーザは、給紙カセット２０の移動の規制を解除することができるので、第２用紙セット部７４に用紙を補充することができる。
【００８９】
さらに、この実施例によれば、給紙カセット２０の移動が規制された状態であっても、持ち込み用紙ＵＰが載置される第１用紙セット部７２は装置本体１０ａの外部に露出するので、第１用紙セット部７２への持ち込み用紙ＵＰの出し入れを行うことができる。このため、一般のユーザの利便性が損なわれることはない。
［第２実施例］
第２実施例の画像形成装置１０は、カセット規制部６０の構成が異なる以外は、第１実施例の画像形成装置１０と同じであるため、重複した説明は省略することにする。
【００９０】
図１２（Ａ）は第２実施例における給紙カセット２０の移動を規制する状態のカセット規制部６０を示す左側面図である。図１２（Ｂ）は第２実施例における給紙カセット２０の移動を規制しない状態のカセット規制部６０を示す左側面図である。
【００９１】
この第２実施例では、第１駆動源６４に代えて、手動でリンク部材６６を作動させるための作動部材６８が設けられる。作動部材６８は、装置本体１０ａの左右の側面に設けられ、本実施例では、装置本体１０ａの左壁部に設けられる。作動部材６８は、たとえば回転式錠前であり、鍵穴に鍵（物理キー）を差し込んで回転軸を回転させることにより、リンク部材６６を上下に移動させることができる。したがって、鍵を所持するユーザは、鍵穴に鍵を差し込んで回転軸を回転させることにより、手動で、リンク部材６６を上方に移動させて、ロック部材６２を解放位置に移動させたり、リンク部材６６を下方に移動させて、ロック部材６２を係合位置に移動させたりすることができる。すなわち、給紙カセット２０の移動の規制を解除したり、給紙カセット２０の移動を規制したりすることができる。
【００９２】
この実施例によれば、鍵を所持するユーザは、給紙カセット２０の移動を規制したり、給紙カセット２０の移動の規制を解除したりすることができる。したがって、特定ユーザのみが鍵を所持するようにすれば、一般のユーザは、給紙カセット２０の移動の規制を解除することができないので、給紙カセット２０の移動の規制を解除することができず、備え付け用紙ＳＰが載置される第２用紙セット部７４にアクセスすることができない。このため、備え付け用紙ＳＰの盗難を抑止ないし防止することができる。
【００９３】
なお、第２実施例では、作動部材６８が回転式錠前である場合を例に挙げて説明したが、これに限定される必要は無い。たとえば、作動部材６８は、サムターンまたは操作レバー等の鍵を使わずにリンク部材６６を移動させることができる部材であっても良い。この場合、作動部材６８は、ユーザの立ち位置（前面中央）から画像形成装置１０を見たときに、見えにくいないし見えない場所に設けられれば良い。このようにすれば、一般のユーザは、作動部材６８の存在に気付き難い（または気付かない）ので、給紙カセット２０の移動の規制を解除することができない。
【００９４】
また、作動部材６８がユーザの立ち位置から見える場所に設けられる場合には、リンク部材６６を移動させるために必要な動作を行う前に、所定の動作（第１動作）を行うことを必要とすれば良い。たとえば、作動部材６８が回転されることによってリンク部材６６が移動される場合に、作動部材６８を前後方向または左右方向にスライド（第１動作）させた後でなければ、作動部材６８が回転されないようにすれば良い。このようにすれば、一般のユーザは、第１動作の内容を知らないので、リンク部材６６を移動させるために必要な動作を行うことができないので、給紙カセット２０の移動の規制を解除することができない。
［第３実施例］
第３実施例の画像形成装置１０は、載置トレイ７０がスライド移動される以外は、第１実施例の画像形成装置１０と同じであるため、重複した説明は省略することにする。
【００９５】
図１３（Ａ）は載置トレイ７０が第１位置に位置する状態を示す図解図である。図１３（Ｂ）は載置トレイ７０が第２位置に位置する状態を示す図解図である。図１４はスライド駆動機構８０の構成を示す図である。
【００９６】
図１３（Ａ）、図１３（Ｂ）および図１４に示すように、給紙カセット２０には、載置トレイ７０をスライド移動させるスライド駆動機構８０が設けられる。スライド駆動機構８０は、ガイド部材８２、第２駆動源８４、シャフト部材８６、スライドブロック部８８および支持部材９０を含む。ガイド部材８２は、前後方向に延びるガイドレール又はガイドシャフトであって、載置トレイ７０の前後方向のスライド移動をガイドする。シャフト部材８６は、ガイド部材８２と平行に配置されており、その表面にはネジ加工がされている。また、シャフト部材８６の一方の端部（後端部）は、回転駆動源である第２駆動源８４に連結されており、シャフト部材８６には、第２駆動源８４の回転駆動力が伝達される。スライドブロック部８８は、載置トレイ７０の下面に取り付けられており、スライドブロック部８８には、シャフト部材８６が挿通される挿通穴が設けられている。挿通穴の内表面にはシャフト部材８６のネジと螺号するネジが加工されている。なお、スライドブロック部８８は載置トレイ７０と一体に形成されていてもよい。支持部材９０は、給紙カセット２０の本体に取り付けられており、シャフト部材８６の他方の端部（前端部）を回転可能に支持する。
【００９７】
第２駆動源８４によってシャフト部材８６が回転されると、スライドブロック部８８がシャフト部材８６の軸方向に沿って移動する。スライドブロック部８８の移動に伴い、載置トレイ７０が前後方向（給紙方向に対して垂直方向）にスライド移動される。たとえば、第２駆動源８４を正回転させることにより載置トレイ７０が背面側に移動し、第２駆動源８４を逆回転させることにより載置トレイ７０が前面側に移動する。
【００９８】
また、図１３（Ａ）および図１３（Ｂ）に示すように、第３実施例では、給紙部２２は、前後方向の中央に設けられる。したがって、用紙設定画面１２０（図７参照）において第１キー１２２がタッチされ、備え付け用紙ＳＰが出力用紙として設定されると、備え付け用紙ＳＰが載置される第２用紙セット部７４が、給紙部２２の正面の位置（給紙可能位置）になる位置（第１給紙位置）に、載置トレイ７０が移動される。また、用紙設定画面１２０において第２キー１２４タッチされ、持ち込み用紙ＵＰが出力用紙として設定されると、持ち込み用紙ＵＰが載置される第１用紙セット部７２が、給紙可能位置になる位置（第２給紙位置）に、載置トレイ７０が移動される。ただし、本実施例では、第２キー１２４タッチされ、持ち込み用紙ＵＰが出力用紙として設定される場合を除いて、載置トレイ７０は、第１給紙位置に位置する。
【００９９】
第３実施例では、上述したような動作を実現するために、画像形成装置１０のＲＡＭ４４に記憶された情報処理プログラムには、載置トレイ７０を所定位置（第１給紙位置または第２給紙位置）に移動させるためのトレイ移動プログラム等が含まれる。
【０１００】
以下、フロー図を用いて、第３実施例におけるトレイ移動制御について説明する。図１５は第３実施例におけるＣＰＵ４２のトレイ移動制御のフロー図である。トレイ移動制御は、印刷ジョブが実行される場合に開始され、画像形成装置１０で行われる他の処理（たとえば画像形成装置１０のメイン処理またはカセット規制制御等）と並行して実行される。
【０１０１】
図１５に示すように、ＣＰＵ４２は、トレイ移動制御を開始すると、ステップＳ３１で、持ち込み用紙ＵＰが出力用紙として設定されたかどうかを判断する。ステップＳ３１で“ＮＯ”であれば、つまり、備え付け用紙ＳＰが出力用紙として設定されたと判断した場合には、ステップＳ３５に進む。一方、ステップＳ３１で“ＹＥＳ”であれば、つまり、持ち込み用紙ＵＰが出力用紙として設定されたと判断した場合には、ステップＳ３３で、載置トレイ７０を第２給紙位置に移動して、ステップＳ３５に進む。
【０１０２】
続いて、ステップＳ３５で、印刷ジョブを実行して、ステップＳ３７で、印刷ジョブが終了したかどうかを判断する。ステップＳ３７で“ＮＯ”であれば、つまり、印刷ジョブが終了していないと判断した場合は、ステップＳ３７に戻る。一方、ステップＳ３７で“ＹＥＳ”であれば、つまり、印刷ジョブが終了したと判断した場合は、ステップＳ３９で、載置トレイ７０が第２給紙位置に位置するかどうかを判断する。ステップＳ３９で“ＮＯ”であれば、つまり、載置トレイ７０が第２給紙位置に位置しないと判断した場合は、トレイ移動制御を終了する。一方、ステップＳ３９で“ＹＥＳ”であれば、つまり、載置トレイ７０が第２給紙位置に位置すると判断した場合は、ステップＳ４１で、載置トレイ７０を第１給紙位置に移動して、トレイ移動制御を終了する。
【０１０３】
この実施例によれば、給紙カセット２０内のスペースを有効に活用するとともに、給紙部２２を簡単な構成とすることができる。
【０１０４】
また、上述の実施例で挙げた具体的な数値、構成等は一例であり、実際の製品に応じて適宜変更することが可能である。
【０１０５】
さらに、上述の実施例で示したフロー図の各ステップは、同じ結果が得られるのであれば、処理される順番は適宜変更することが可能である。
【符号の説明】
【０１０６】
１０  …画像形成装置
１２  …画像形成部
１４  …画像読取部
１８  …操作ユニット
２０  …給紙カセット
２４  …係合溝
６０  …カセット規制部
６２  …ロック部材
６４  …駆動源
６６  …リンク部材
【図１】
2020147397.tif 000003
【図２】
2020147397.tif 000004
【図３】
2020147397.tif 000005
【図４】
2020147397.tif 000006
【図５】
2020147397.tif 000007
【図６】
2020147397.tif 000008
【図７】
2020147397.tif 000009
【図８】
2020147397.tif 000010
【図９】
2020147397.tif 000011
【図１０】
2020147397.tif 000012
【図１１】
2020147397.tif 000013
【図１２】
2020147397.tif 000014
【図１３】
2020147397.tif 000015
【図１４】
2020147397.tif 000016
【図１５】
2020147397.tif 000017